(57)【要約】  ＲＡＣＨリソース配置スキームが開示される。本発明の一態様は、周波数方向にインデックスが割り振られたランダムアクセスチャネル（ＲＡＣＨ）リソースを含むＲＡＣＨバンドを配置するＲＡＣＨリソース配置部と、前記ＲＡＣＨリソースの周波数位置をユーザ装置に通知するランダムアクセス（ＲＡ）処理部と、を有する基地局に関する。
2019064604.tif 000002
【特許請求の範囲】
【請求項１】
周波数方向にインデックスが割り振られたランダムアクセスチャネル（ＲＡＣＨ）リソースを含むＲＡＣＨバンドを配置するＲＡＣＨリソース配置部と、
前記ＲＡＣＨリソースの周波数位置をユーザ装置に通知するランダムアクセス（ＲＡ）処理部と、
を有する基地局。
【請求項２】
前記ＲＡＣＨリソース配置部は、初期アクセス用の下り信号を送信するための第１のバンドに基づき前記ＲＡＣＨバンドを配置する、請求項１記載の基地局。
【請求項３】
前記ＲＡＣＨリソース配置部は、前記第１のバンドと同じ帯域幅を有する１つ以上のＲＡＣＨバンドを配置する、請求項２記載の基地局。
【請求項４】
前記ＲＡＣＨリソース配置部は、前記第１のバンドを含み、前記ユーザ装置によってサポートされる最小帯域幅を有する第２のバンドに基づき前記ＲＡＣＨバンドを配置する、請求項２記載の基地局。
【請求項５】
前記ＲＡＣＨリソース配置部は、前記第２のバンドと同じ帯域幅を有する１つ以上のＲＡＣＨバンドを配置する、請求項４記載の基地局。
【請求項６】
前記ＲＡ処理部は、ＲＡ手順におけるメッセージ１を前記ユーザ装置から受信し、
前記メッセージ１が送信された周波数位置は、前記ＲＡＣＨバンド内の前記ＲＡＣＨリソースの周波数位置又は前記ＲＡＣＨリソースが配置される周波数帯域全体によって示される、請求項１乃至５何れか一項記載の基地局。
【請求項７】
前記ＲＡ処理部は更に、各同期信号ブロックと前記ＲＡＣＨバンドとの関連付け又は各同期信号ブロックと前記ＲＡＣＨバンド内のＲＡＣＨリソースとの関連付けを示す関連付け情報を前記ユーザ装置に通知する、請求項１乃至６何れか一項記載の基地局。
【請求項８】
前記ＲＡＣＨリソース配置部は、前記同期信号ブロックに関連付けされるＲＡＣＨリソースを各ＲＡＣＨバンド内の特定の周波数位置に配置する、請求項７記載の基地局。
【請求項９】
基地局との間で無線信号を送受信する送受信部と、
ランダムアクセス（ＲＡ）手順を実行するＲＡ処理部と、
を有するユーザ装置であって、
前記ＲＡ処理部は、周波数方向にインデックスが割り振られたランダムアクセスチャネル（ＲＡＣＨ）リソースを含むＲＡＣＨバンドから選択されたＲＡＣＨリソースによって前記ＲＡ手順を実行するユーザ装置。
【請求項１０】
前記ＲＡ処理部は、当該ユーザ装置によってサポートされる帯域幅に基づき前記ＲＡＣＨバンドにおける前記ＲＡＣＨソースを選択する、請求項９記載のユーザ装置。
【発明の詳細な説明】
【技術分野】
【０００１】
本発明は、無線通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）システム及びＬＴＥ−Ａｄｖａｎｃｅｄシステムの後継として、ＮＲ（Ｎｅｗ  Ｒａｄｉｏ  Ａｃｃｅｓｓ  Ｔｅｃｈｎｏｌｏｇｙ）システムと呼ばれる新たな無線通信システムの仕様策定が進められている。【０００３】
ＮＲでは、例えば、ユーザ装置（Ｕｓｅｒ  Ｅｑｕｉｐｍｅｎｔ：ＵＥ）毎に、Ｂａｎｄｗｉｄｔｈ  Ｐａｒｔ（ＢＷＰ）として観測すべき帯域位置及び帯域幅が割り当てられることが想定されている。さらに、ＵＥに何れかのＢＷＰが割り当てられるまで、すなわち、初期アクセス等を実行する間には、Ｉｎｉｔｉａｌ  ａｃｔｉｖｅ  ＢＷＰが、例えば、セル毎に用意され、初期アクセス時に必要な下り信号は当該Ｉｎｉｔｉａｌ  ａｃｔｉｖｅ  ＢＷＰ内で送信されることが想定されている。【０００４】
Ｉｎｉｔｉａｌ  ａｃｔｉｖｅ  ＢＷＰについては、それが何れのＵＥでも対応可能な最小帯域幅以下の帯域幅を有することになると想定される。しかしながら、Ｉｎｉｔｉａｌ  ａｃｔｉｖｅ  ＢＷＰの詳細は標準化の議論において決められていない。
【先行技術文献】
【非特許文献】
【０００５】
【非特許文献１】RP-171994  TR 38.211 v1.0.0 on NR; Physical channels and modulation; for information  3GPP TSG-RAN Meeting #77 Tdoc RP-171994  Sapporo, Japan, September 11-14, 2017
【非特許文献２】RP-171995  TS 38.213 v1.0.0 on NR; Physical layer procedures for control; for information  3GPP TSG-RAN Meeting #77  Sapporo, Japan, September 11-14, 2017
【発明の概要】
【発明が解決しようとする課題】
【０００６】
一方、初期アクセスのための上り信号を送信するためのランダムアクセスチャネル（ＲＡＣＨ）リソースの配置及び周波数位置の通知についてもまた、詳細は決められていない。一般的には、初期アクセスの機会を充実させながら、ＲＡＣＨを含む各種チャネルのフレキシブルなスケジューリングを可能にするリソース配置が望まれる。【０００７】
これを鑑み、本発明の課題は、ＲＡＣＨリソース配置スキームを提供することである。
【課題を解決するための手段】
【０００８】
上記課題を解決するため、本発明の一態様は、周波数方向にインデックスが割り振られたランダムアクセスチャネル（ＲＡＣＨ）リソースを含むＲＡＣＨバンドを配置するＲＡＣＨリソース配置部と、前記ＲＡＣＨリソースの周波数位置をユーザ装置に通知するランダムアクセス（ＲＡ）処理部と、を有する基地局に関する。
【発明の効果】
【０００９】
本発明によると、ＲＡＣＨリソース配置スキームを提供することができる。
【図面の簡単な説明】
【００１０】
【図１】図１は、本発明の一実施例による無線通信システムを示す概略図である。
【図２】図２は、本発明の一実施例による基地局の機能構成を示すブロック図である。
【図３】図３は、本発明の一実施例によるＲＡＣＨリソース配置を示す図である。
【図４】図４は、本発明の一実施例によるＲＡＣＨリソース配置を示す図である。
【図５】図５は、本発明の一実施例によるＲＡＣＨリソース配置を示す図である。
【図６】図６は、本発明の一実施例によるＲＡＣＨリソース配置を示す図である。
【図７】図７は、本発明の一実施例によるＲＡＣＨリソース配置を示す図である。
【図８】図８は、本発明の一実施例によるＳＳブロックとＲＡＣＨバンドとの関連付けを示す図である。
【図９】図９は、本発明の一実施例によるＳＳブロックとＲＡＣＨバンドとの関連付けを示す図である。
【図１０】図１０は、本発明の一実施例によるユーザ装置の機能構成を示すブロック図である。
【図１１】図１１は、本発明の一実施例による基地局及びユーザ装置のハードウェア構成を示すブロック図である。
【発明を実施するための形態】
【００１１】
以下、図面に基づいて本発明の実施の形態を説明する。
【００１２】
以下の実施例では、無線通信システムにおけるユーザ装置及び基地局が開示される。以下の実施例による無線通信システムでは、基地局は、ＲＡＣＨリソースなどの初期アクセス用の無線リソースを周波数方向に配置し、配置した無線リソースをユーザ装置に通知する。ユーザ装置は、通知された無線リソースの何れかを用いて基地局にアクセスする。ＮＲシステムについて、現状、ＲＡＣＨリソースの配置について具体的なスキームは検討されていない。以下の実施例では、周波数方向に配置されたＲＡＣＨリソースを含む１つ以上のＲＡＣＨバンドが配置される。
【００１３】
一方、ＲＡＣＨリソースは何れのユーザ装置も利用可能な周波数位置に配置されることが望ましい。例えば、ＲＡＣＨリソースが初期アクセス時に必要な下り信号を送信するためのＩｎｉｔｉａｌ  ａｃｔｉｖｅ  ＢＷＰとは無関係に（例えば、Ｉｎｉｔｉａｌ  ａｃｔｉｖｅ  ＢＷＰの帯域外に）配置された場合、ユーザ装置が配置されたＲＡＣＨリソースを利用できない可能性がありうる。このため、ＲＡＣＨバンドはＩｎｉｔｉａｌ  ａｃｔｉｖｅ  ＢＷＰに基づき配置されてもよい。
【００１４】
まず、図１を参照して、本発明の一実施例による無線通信システムを説明する。図１は、本発明の一実施例による無線通信システムを示す概略図である。
【００１５】
図１に示されるように、無線通信システム１０は、基地局１００及びユーザ装置２００を有する。無線通信システム１０は、典型的には、ＮＲシステムであるが、これに限定することなく、３ＧＰＰによって規定される何れかの３ＧＰＰ準拠無線通信システムであってもよいし、あるいは、非３ＧＰＰ準拠無線通信システムであってもよい。
【００１６】
基地局１００は、コアネットワークなどの上位局（図示せず）による制御の下、ユーザ装置２００を含む多数のユーザ装置と無線通信を実行する。ＮＲシステムでは、基地局１００は、例えば、ｇＮＢとして参照されうる。図示された実施例では、１つの基地局１００しか示されていないが、典型的には、無線通信システム１０のカバレッジ範囲をカバーするよう多数の基地局が配置される。
【００１７】
ユーザ装置２００は、セルを介し基地局１００と通信接続可能な何れかの情報処理装置であり、例えば、限定することなく、携帯電話、スマートフォン、タブレット、ウェアラブル装置などであってもよい。
【００１８】
次に、図２〜１０を参照して、本発明の一実施例によるＲＡＣＨリソースの配置及び通知処理を説明する。図２は、本発明の一実施例による基地局の機能構成を示すブロック図である。
【００１９】
図２に示されるように、基地局１００は、ＲＡＣＨリソース配置部１１０及びランダムアクセス（ＲＡ）処理部１２０を有する。
【００２０】
ＲＡＣＨリソース配置部１１０は、周波数方向にインデックスが割り振られたＲＡＣＨリソースを含むＲＡＣＨバンドを配置する。具体的には、図３に示されるように、ＲＡＣＨリソース配置部１１０は、１つ以上のＲＡＣＨバンド（ＲＡＣＨ  ＢＷＰ）を周波数方向に配置し、各ＲＡＣＨバンド内において周波数方向にＲＡＣＨリソースを配置する。ここで、各ＲＡＣＨバンド内のＲＡＣＨリソースには周波数方向にインデックス（０，１，２など）が割り振られる。
【００２１】
ＲＡ処理部１２０は、ＲＡＣＨリソースの周波数位置をユーザ装置２００に通知する。具体的には、ＲＡ処理部１２０は、ＲＡＣＨリソース配置部１１０によって配置されたＲＡＣＨバンドにおける各ＲＡＣＨリソースの周波数位置をユーザ装置２００に通知する。ＲＡＣＨバンドにおける各ＲＡＣＨリソースの周波数位置は、例えば、システム情報によってセル内でブロードキャストされてもよいし、ＲＲＣシグナリングやＭＡＣ，ＤＣＩにより通知されてもよいし、仕様により予め定められていてもよい。また、インデックスの割り振りは、仕様により予めインデックス割り振りパターンが規定され、ＲＡ処理部１２０は、適用されている割り振りパターンを通知してもよい。
【００２２】
初期アクセスをする際、ユーザ装置２００は、通知された１つ以上のＲＡＣＨバンドのＲＡＣＨリソースから何れかのＲＡＣＨリソースを選択し、選択したＲＡＣＨリソースによってメッセージ１などを送信することによってＲＡ手順を開始する。ここで、ユーザ装置２００は、通知されたＲＡＣＨバンドのＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。
【００２３】
一実施例では、ＲＡＣＨリソース配置部１１０は、初期アクセス用の下り信号を送信するためのバンド（例えば、Ｉｎｉｔｉａｌ  ａｃｔｉｖｅ  ＢＷＰ）に基づきＲＡＣＨバンドを配置してもよい。具体的には、図４に示されるように、ＲＡＣＨリソース配置部１１０は、Ｉｎｉｔｉａｌ  ａｃｔｉｖｅ  ＢＷＰ内において周波数方向にＲＡＣＨリソースを配置し、各ＲＡＣＨリソースに周波数方向のインデックスを割り振ってもよい。ＲＡ処理部１２０は、ＲＡＣＨリソース配置部１１０によって配置されたＲＡＣＨバンドにおける各ＲＡＣＨリソースの周波数位置をユーザ装置２００に通知してもよい。
【００２４】
一実施例では、ＲＡＣＨリソース配置部１１０は、上述したバンド（例えば、Ｉｎｉｔｉａｌ  ａｃｔｉｖｅ  ＢＷＰ）を含み、ユーザ装置２００によってサポートされる最小帯域幅を有する相対的に大きなバンドに基づきＲＡＣＨバンドを配置してもよい。具体的には、図５に示されるように、ＲＡＣＨリソース配置部１１０は、Ｉｎｉｔｉａｌ  ａｃｔｉｖｅ  ＢＷＰより大きく、何れのタイプのユーザ装置２００によってもサポートされる最小帯域幅（ＵＥ  ｍｉｎｉｍｕｍ  ＢＷ）において周波数方向にＲＡＣＨリソースを配置し、各ＲＡＣＨリソースに周波数方向のインデックスを割り振ってもよい。ＲＡ処理部１２０は、ＲＡＣＨリソース配置部１１０によって配置されたＲＡＣＨバンドにおける各ＲＡＣＨリソースの周波数位置をユーザ装置２００に通知してもよい。
【００２５】
図示されたＲＡＣＨバンドの配置では、ＵＥ  ｍｉｎｉｍｕｍ  ＢＷに対応するＲＡＣＨバンドは、Ｉｎｉｔｉａｌ  ａｃｔｉｖｅ  ＢＷＰ全体を含むが、これに限定されず、Ｉｎｉｔｉａｌ  ａｃｔｉｖｅ  ＢＷＰの一部を含むよう配置されてもよい。また、図示されたＲＡＣＨバンドの配置では、ＵＥ  ｍｉｎｉｍｕｍ  ＢＷに対応するＲＡＣＨバンドの周波数方向の中心は、Ｉｎｉｔｉａｌ  ａｃｔｉｖｅ  ＢＷＰの中心と一致するよう配置されているが、これに限定されない。例えば、ＵＥ  ｍｉｎｉｍｕｍ  ＢＷに対応するＲＡＣＨバンドとＩｎｉｔｉａｌ  ａｃｔｉｖｅ  ＢＷＰとは、周波数方向の上端又は下端が一致するよう配置されてもよい。また、このようなＵＥ  ｍｉｎｉｍｕｍ  ＢＷに対応するＲＡＣＨバンドとＩｎｉｔｉａｌ  ａｃｔｉｖｅ  ＢＷＰとの周波数方向の位置関係は、仕様で規定されてもよいし、ユーザ装置２００に通知されてもよい。
【００２６】
一実施例では、ＲＡＣＨリソース配置部１１０は、上述したバンド（例えば、Ｉｎｉｔｉａｌ  ａｃｔｉｖｅ  ＢＷＰ）と同じ帯域幅を有する１つ以上のＲＡＣＨバンドを配置してもよい。具体的には、図６に示されるように、ＲＡＣＨリソース配置部１１０は、Ｉｎｉｔｉａｌ  ａｃｔｉｖｅ  ＢＷＰと同じ帯域幅を有するＲＡＣＨバンドにおいて周波数方向にＲＡＣＨリソースを配置し、各ＲＡＣＨリソースに周波数方向のインデックスを割り振ってもよい。ＲＡ処理部１２０は、ＲＡＣＨリソース配置部１１０によって配置されたＲＡＣＨバンドにおける各ＲＡＣＨリソースの周波数位置をユーザ装置２００に通知してもよい。
【００２７】
例えば、各ＲＡＣＨバンドは、Ｉｎｉｔｉａｌ  ａｃｔｉｖｅ  ＢＷＰに対するオフセットによって通知されてもよい。また、各ＲＡＣＨバンドは、同期信号（ＳＳ）ブロック又は物理ブロードキャストチャネル（ＰＢＣＨ）ブロック（以降、ＳＳブロック及びＰＢＣＨブロックをＳＳブロックとして総称する）の位置に対するオフセットによって通知されてもよい。あるいは、各ＲＡＣＨバンドは、周波数位置の絶対値又はバンド帯域幅内に割り振られたインデックスなどによって通知されてもよい。また、各ＲＡＣＨバンドは、バンド内の基準周波数として用いられるＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）を用いて通知されてもよいし、仕様により規定されてもよい。例えば、ＲＡ処理部１２０はＡＲＦＣＮを通知し、通知したＡＲＦＣＮのオフセット（オフセット０を含む）などによってＲＡＣＨバンドの周波数位置が通知されてもよいし、仕様により規定されてもよい。例えば、オフセットとして、Ｉｎｉｔｉａｌ  ａｃｔｉｖｅ  ＢＷＰ、もしくは同期信号（ＳＳ）ブロック等の基準となる位置から高周波数方向のみ、低周波数方向のみ又は高周波数方向と低周波数方向との両方が含まれてもよく、当該オフセットは、システム情報においてブロードキャストしてもよいし、ＲＲＣ（Ｒａｄｉｏ  Ｒｅｓｏｕｒｃｅ  Ｃｏｎｔｒｏｌ）シグナリングやＭＡＣ（Ｍｅｄｉｕｍ  Ａｃｃｅｓｓ  Ｃｏｎｔｒｏｌ），ＤＣＩ（Ｄｏｗｎｌｉｎｋ  Ｃｏｎｔｒｏｌ  Ｉｎｆｏｒｍａｔｉｏｎ）により通知されてもよいし、仕様により規定されてもよい。また、高周波数方向及び／又は低周波数方向のＲＡＣＨバンドの個数などが通知されてもよいし、あるいは、仕様で規定されてもよい。また、利用可能な帯域幅、帯域位置などが通知されてもよい。
【００２８】
また、ＲＡＣＨバンド内のＲＡＣＨリソースの周波数位置については、Ｉｎｉｔｉａｌ  ａｃｔｉｖｅ  ＢＷＰ等の基準となるＢＷＰ内におけるＲＡＣＨリソースに対するインデックス割り振りと同様に、インデックスが割り振られてもよい。すなわち、各ＲＡＣＨバンド内のＲＡＣＨリソースは、Ｉｎｉｔｉａｌ  ａｃｔｉｖｅ  ＢＷＰ内におけるＲＡＣＨリソースの周波数位置に対応して配置されてもよい。
【００２９】
また、ＲＡ処理部１２０は、Ｉｎｉｔｉａｌ  ａｃｔｉｖｅ  ＢＷＰを含む、いずれかのＲＡＣＨバンド１つをユーザ装置２００に通知してもよいし、あるいは、複数のＲＡＣＨバンドをユーザ装置２００に通知してもよい。ここで、ＲＡＣＨバンドは、後述されるように、ＳＳブロックとの関連付けによって通知されてもよい。
【００３０】
ここで、複数のＲＡＣＨバンドが通知された場合、ユーザ装置２００は、全てのＲＡＣＨバンドに含まれるＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。あるいは、ユーザ装置２００は、通知されたＲＡＣＨバンドの１つ以上のＲＡＣＨバンドに含まれるＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。例えば、ユーザ装置２００は、能力情報（ＵＥ  Ｃａｐａｂｉｌｉｔｙ）に基づきＲＡＣＨリソースを選択してもよい。具体的には、ユーザ装置２００は、ユーザ装置２００が観測可能な帯域幅などに基づきＲＡＣＨリソースを選択してもよい。
【００３１】
一実施例では、ＲＡＣＨリソース配置部１１０は、上述した相対的に大きなバンド（ＵＥ  ｍｉｎｉｍｕｍ  ＢＷ）と同じ帯域幅を有する１つ以上のＲＡＣＨバンドを配置してもよい。具体的には、図７に示されるように、ＲＡＣＨリソース配置部１１０は、Ｉｎｉｔｉａｌ  ａｃｔｉｖｅ  ＢＷＰより大きなＵＥ  ｍｉｎｉｍｕｍ  ＢＷと同じ帯域幅を有するＲＡＣＨバンドにおいて周波数方向にＲＡＣＨリソースを配置し、各ＲＡＣＨリソースに周波数方向のインデックスを割り振ってもよい。ＲＡ処理部１２０は、ＲＡＣＨリソース配置部１１０によって配置されたＲＡＣＨバンドにおける各ＲＡＣＨリソースの周波数位置をユーザ装置２００に通知してもよい。
【００３２】
例えば、各ＲＡＣＨバンドは、Ｉｎｉｔｉａｌ  ａｃｔｉｖｅ  ＢＷＰを含んでいるＵＥ  ｍｉｎｉｍｕｍ  ＢＷに対するオフセットによって通知されてもよい。また、各ＲＡＣＨバンドは、同期信号（ＳＳ）ブロック又は物理ブロードキャストチャネル（ＰＢＣＨ）ブロックの位置に対するオフセットによって通知されてもよい。あるいは、各ＲＡＣＨバンドは、周波数位置の絶対値又はバンド帯域幅内に割り振られたインデックスなどによって通知されてもよい。また、各ＲＡＣＨバンドは、バンド内の基準周波数として用いられるＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）を用いて通知されてもよいし、仕様により規定されてもよい。例えば、ＲＡ処理部１２０はＡＲＦＣＮを通知し、通知したＡＲＦＣＮのオフセット（オフセット０を含む）などによってＲＡＣＨバンドの周波数位置が通知されてもよいし、仕様により規定されてもよい。例えば、オフセットとして、ＵＥ  ｍｉｎｉｍｕｍ  ＢＷに対応するいずれかのＲＡＣＨバンドから高周波数方向のみ、低周波数方向のみ又は高周波数方向と低周波数方向との両方が含まれてもよく、当該オフセットは、システム情報においてブロードキャストしてもよいし、ＲＲＣシグナリングやＭＡＣ，ＤＣＩにより通知されてもよいし、仕様により規定されてもよい。また、高周波数方向及び／又は低周波数方向のＲＡＣＨバンドの個数などが通知されてもよいし、あるいは、仕様で規定されてもよい。また、利用可能な帯域幅、帯域位置などが通知されてもよい。
【００３３】
また、ＲＡＣＨバンド内のＲＡＣＨリソースの周波数位置については、ＵＥ  ｍｉｎｉｍｕｍ  ＢＷに対応するいずれかのＲＡＣＨバンド内におけるＲＡＣＨリソースに対するインデックス割り振りと同様に、インデックスが割り振られてもよい。すなわち、各ＲＡＣＨバンド内のＲＡＣＨリソースは、ＵＥ  ｍｉｎｉｍｕｍ  ＢＷに対応する基準となるいずれかのＲＡＣＨバンド内におけるＲＡＣＨリソースの周波数位置に対応して配置されてもよい。
【００３４】
また、ＲＡ処理部１２０は、Ｉｎｉｔｉａｌ  ａｃｔｉｖｅ  ＢＷＰを含んでいるＵＥ  ｍｉｎｉｍｕｍ  ＢＷを含む、いずれかのＲＡＣＨバンド１つをユーザ装置２００に通知してもよいし、あるいは、複数のＲＡＣＨバンドをユーザ装置２００に通知してもよい。ここで、ＲＡＣＨバンドは、後述されるように、ＳＳブロックとの関連付けによって通知されてもよい。
【００３５】
なお、上述の「ＵＥ  ｍｉｎｉｍｕｍ  ＢＷに対応するいずれかのＲＡＣＨバンド」は、「Ｉｎｉｔｉａｌ  ａｃｔｉｖｅ  ＢＷＰを含んでいるＵＥ  ｍｉｎｉｍｕｍ  ＢＷ」であってもよいし、他の基準となるＲＡＣＨバンドでもよい。
【００３６】
ここで、複数のＲＡＣＨバンドが通知された場合、一実施例では、ユーザ装置２００は、全てのＲＡＣＨバンドに含まれるＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。また、他の実施例では、ユーザ装置２００は、通知されたＲＡＣＨバンドの１つ以上のＲＡＣＨバンドに含まれるＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。例えば、ユーザ装置２００は、能力情報（ＵＥ  Ｃａｐａｂｉｌｉｔｙ）に基づきＲＡＣＨリソースを選択してもよい。具体的には、ユーザ装置２００は、ユーザ装置２００が観測可能な帯域幅などに基づきＲＡＣＨリソースを選択してもよい。
【００３７】
一実施例では、ＲＡ処理部１１０は、ＲＡ手順におけるメッセージ１をユーザ装置２００から受信し、メッセージ１が送信された周波数位置は、ＲＡＣＨバンド内のＲＡＣＨリソースの周波数位置又はＲＡＣＨリソースが配置される周波数帯域全体によって示されてもよい。具体的には、メッセージ１（Ｒａｎｄｏｍ  Ａｃｃｅｓｓ  Ｐｒｅａｍｂｌｅ：ＲＡＰ）におけるＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）に含まれる周波数方向におけるメッセージ１のリソース位置として、ＲＡＣＨバンド内の当該ＲＡＣＨリソースの周波数位置のみ含まれてもよい。すなわち、何れのＲＡＣＨバンドが用いられたかは特定されなくてもよい。メッセージ２（Ｒａｎｄｏｍ  Ａｃｃｅｓｓ  Ｒｅｓｐｏｎｓｅ：ＲＡＲ）をスケジューリングするダウンリンク制御情報（ＤＣＩ）のＣＲＣ（Ｃｙｃｌｉｃ  Ｒｅｄｕｎｄａｎｃｙ  Ｃｈｅｃｋ）は、ＲＡ−ＲＮＴＩによりスクランブル化される。メッセージ２を受信する際、あるいは、メッセージ２をスケジューリングする制御情報を受信する際、何れのＲＡＣＨバンド内のＲＡＣＨリソースで当該メッセージ１を送信したかユーザ装置２００が判断できるようにするため、ＲＡ処理部１２０は、ＲＡＲ内の情報要素において何れのＲＡＣＨバンドにおいて当該メッセージ１が送信されたか通知してもよいし、あるいは、当該メッセージ１が送信されたＲＡＣＨバンドにおいてメッセージ２を送信してもよい。同様に、メッセージ４もまた、当該メッセージ１が送信されたＲＡＣＨバンドにおいて送信されてもよい。あるいは、メッセージ１におけるＲＡ−ＲＮＴＩに含まれる周波数方向におけるメッセージ１のリソース位置として、ＲＡＣＨリソースが配置されうる周波数位置全体が含まれてもよい。ＲＡ−ＲＮＴＩの計算において、ＲＡＣＨバンドバンド内の周波数位置とＲＡＣＨバンドの位置とが別々の係数として計算されてもよい。
【００３８】
一実施例では、ＲＡ処理部１２０は更に、各同期信号ブロックとＲＡＣＨバンドとの関連付け又は各同期信号ブロックとＲＡＣＨバンド内のＲＡＣＨリソースとの関連付けを示す関連付け情報をユーザ装置２００に通知してもよい。ユーザ装置は、検出された同期信号（ＳＳ）ブロックやその信号強度、品質に基づいて、１つまたは複数の同期信号（ＳＳ）ブロックを選択し、この関連付け情報によって知ることのできる対応するＲＡＣＨリソースを用いることとしてもよい。この関連付け情報によって、基地局は適切な下りビーム等の同期信号（ＳＳ）ブロックに関連する情報を得てもよい。
【００３９】
具体的には、同期信号（ＳＳ）ブロック及びＲＡＣＨバンドは、図８に示されるように関連付けされてもよく、当該関連付けを示す情報がユーザ装置２００に通知されてもよい。図示された具体例では、各ＲＡＣＨバンドが１つのＳＳブロックに関連付けされているが、これに限定されず、複数のＳＳブロックに関連付けされてもよい。ここで、ＲＡ−ＲＮＴＩの計算において、ＳＳブロックインデックスが含まれてもよいし、あるいは、ＲＡＣＨバンドを示す情報が含まれてもよい。また、各ＳＳブロック毎又は複数のＳＳブロック毎に、関連付けされるＲＡＣＨバンドの個数が通知されてもよい。ここで、複数のＳＳブロック毎に関連付けされるＲＡＣＨバンドの個数が通知される場合、プリアンブルインデックスとの関連付けによってＳＳブロックが区別されてもよい。また、１つ以上のＳＳブロックと関連付けされる周波数方向におけるＲＡＣＨリソースの個数が通知されてもよい。これは、同一のＲＡＣＨバンド内であってもＲＡＣＨリソースは異なるＳＳブロックと関連付けされる可能性があるためである。また、各ＳＳブロックが何れのＲＡＣＨバンド又はＲＡＣＨリソースと関連付けされているかは、ＳＳブロックインデックスの順番とＲＡＣＨバンド又はＲＡＣＨリソースの順番又は位置の関係によって非明示的に通知されてもよい。あるいは、ＳＳブロックとＲＡＣＨバンド又はＲＡＣＨリソースとの対応関係は明示的に通知されてもよい。
【００４０】
あるいは、ＳＳブロック及びＲＡＣＨリソースは、図９に示されるように関連付けされてもよく、当該関連付けを示す情報がユーザ装置２００に通知されてもよい。図示された具体例では、ＲＡＣＨリソース配置部１１０は、ＳＳブロックに関連付けされるＲＡＣＨリソースを各ＲＡＣＨバンド内の特定の周波数位置に配置してもよく、すなわち、全てのＳＳブロックに対応するＲＡＣＨリソースが各ＲＡＣＨバンドに含まれてもよい。例えば、ＳＳブロックとＲＡＣＨリソースの周波数位置との関連付けについて、１つのＲＡＣＨバンドに対する関連付けのみが通知されてもよい。さらに、ＲＡＣＨバンドの位置及び／又は個数を通知することによって、ＲＡＣＨバンド内のＲＡＣＨリソースの周波数位置とＳＳブロックとの間の共通の対応関係が利用可能である。この場合、ユーザ装置２００は、何れか１つのＲＡＣＨバンドにおけるＲＡＣＨリソースの周波数位置を確認することによって、全てのＳＳブロックに対応するＲＡＣＨリソースを利用することができる。また、ＮＷ又は基地局１００は、混雑度に応じてＲＡＣＨバンド毎にユーザ装置２００を配分したり、ＲＡＣＨバンドの個数を調整してもよい。また、ＮＷ又は基地局１００は、ＲＡＣＨバンドの個数及び位置を通知することによって、ユーザ装置２００は、通知されたＲＡＣＨバンドにおけるＲＡＣＨリソースを任意に選択しうる。
【００４１】
なお、上述したＳＳブロックとＲＡＣＨバンド又はＲＡＣＨリソースとの関連付けは、図３〜７に示された実施例の全てに適用可能である。また、ＲＡＣＨリソースの周波数位置、ＲＡＣＨリソースの周波数方向の個数及び／又はＲＡＣＨリソース間の周波数方向における間隔が通知されてもよい。また、ＲＡＣＨリソースの周波数位置について、基準となるあるＲＡＣＨリソース（例えば、最初又は最後のＲＡＣＨリソース）の周波数位置が通知されてもよい。また、全てのＲＡＣＨリソースの周波数位置又はインデックスが明示的に通知されてもよい。また、ＲＡＣＨリソースの周波数方向の個数及び／又はＲＡＣＨリソース間の周波数方向における間隔について、当該個数及び／又は間隔によってＲＡＣＨバンド内のＲＡＣＨリソースの周波数位置が非明示的に通知されてもよい。例えば、ＲＡＣＨリソースがＲＡＣＨバンド内で等間隔に配置されてもよい。また、ＲＡＣＨバンド内のＲＡＣＨリソースの周波数位置とＳＳブロックとの関連付けとして、いくつかのパターンが規定され、当該パターンのインデックスによって関連付けが通知されてもよい。例えば、ＲＡＣＨリソースが等間隔に配置されるパターン、ＲＡＣＨリソースが高周波数側に続けて配置されるパターンなどが規定されてもよい。ここで、ＲＡＣＨリソースの位置、個数及び間隔の全て又は一部がパターンに含まれてよいし、別個に通知されてもよい。
【００４２】
また、ＲＡＣＨバンドの周波数位置、ＲＡＣＨバンドの周波数方向の個数及び／又はＲＡＣＨバンド間の周波数方向における間隔が通知されてもよい。また、ＲＡＣＨバンドの周波数位置について、基準となるあるＲＡＣＨバンド（例えば、最初又は最後のＲＡＣＨバンド）の周波数位置が通知されてもよい。また、全てのＲＡＣＨバンドの周波数位置又はインデックスが明示的に通知されてもよい。また、ＲＡＣＨバンドの周波数方向の個数及び／又はＲＡＣＨバンド間の周波数方向における間隔について、当該個数及び／又は間隔によって周波数バンド内のＲＡＣＨバンドの周波数位置が非明示的に通知されてもよい。例えば、ＲＡＣＨバンドが周波数バンド内で等間隔に配置されてもよい。また、周波数バンド内のＲＡＣＨバンドの周波数位置とＳＳブロックとの関連付けとして、いくつかのパターンが規定され、当該パターンのインデックスによって関連付けが通知されてもよい。例えば、ＲＡＣＨバンドが等間隔に配置されるパターン、ＲＡＣＨバンドが高周波数側に続けて配置されるパターンなどが規定されてもよい。ここで、ＲＡＣＨバンドの位置、個数及び間隔の全て又は一部がパターンに含まれてよいし、別個に通知されてもよい。
【００４３】
図１０は、本発明の一実施例によるユーザ装置の機能構成を示すブロック図である。図１０に示されるように、ユーザ装置２００は、送受信部２１０及びＲＡ処理部２２０を有する。
【００４４】
送受信部２１０は、基地局１００との間で無線信号を送受信する。具体的には、送受信部２１０は、基地局１００との間で各種ダウンリンク及び／又はアップリンク信号を送受信する。例えば、ダウンリンク信号はダウンリンクデータ信号とダウンリンク制御信号とを含み、アップリンク信号はアップリンクデータ信号とアップリンク制御信号とを含む。
【００４５】
ＲＡ処理部２２０は、ＲＡ手順を実行し、具体的には、周波数方向にインデックスが割り振られたＲＡＣＨリソースを含むＲＡＣＨバンドから選択されたＲＡＣＨリソースによってＲＡ手順を実行する。初期アクセスをする際、ＲＡ処理部２２０は、通知された１つ以上のＲＡＣＨバンドのＲＡＣＨリソースから何れかの１つ、または複数のＲＡＣＨリソースを選択し、選択したＲＡＣＨリソースによってメッセージ１などを送信することによってＲＡ手順を開始する。ここで、ＲＡ処理部２２０は、通知されたＲＡＣＨバンドのＲＡＣＨリソースから何れかのＲＡＣＨリソースをランダムに選択してもよいし、何れかの条件によって抽出されたＲＡＣＨリソースのサブセットから何れかのＲＡＣＨリソースを選択してもよいし、あるいは、ＮＷ又は基地局１００から指定されたＲＡＣＨリソースを選択してもよい。また、ＲＡ処理部２２０は、ユーザ装置２００によってサポートされる帯域幅に基づきＲＡＣＨバンドにおけるＲＡＣＨソースを選択してもよい。
【００４６】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４７】
例えば、本発明の一実施の形態における基地局１００及びユーザ装置２００は、本発明の無線通信方法の処理を行うコンピュータとして機能してもよい。図１１は、本発明の一実施例による基地局１００及びユーザ装置２００のハードウェア構成を示すブロック図である。上述の基地局１００及びユーザ装置２００は、物理的には、プロセッサ１００１、メモリ１００２、ストレージ１００３、通信装置１００４、入力装置１００５、出力装置１００６、バス１００７などを含むコンピュータ装置として構成されてもよい。
【００４８】
なお、以下の説明では、「装置」という文言は、回路、デバイス、ユニットなどに読み替えることができる。基地局１００及びユーザ装置２００のハードウェア構成は、図に示した各装置を１つ又は複数含むように構成されてもよいし、一部の装置を含まずに構成されてもよい。
【００４９】
基地局１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００５１】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００及びユーザ装置２００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００５３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【００５５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５６】
また、プロセッサ１００１やメモリ１００２などの各装置は、情報を通信するためのバス１００７で接続される。バス１００７は、単一のバスで構成されてもよいし、装置間で異なるバスで構成されてもよい。
【００５７】
また、基地局１００及びユーザ装置２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５８】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００５９】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６０】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６１】
本明細書において基地局１００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００６２】
情報等は、上位レイヤ(または下位レイヤ)から下位レイヤ(または上位レイヤ)へ出力され得る。複数のネットワークノードを介して入出力されてもよい。
【００６３】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００６４】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６５】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６８】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７０】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７１】
本明細書で使用する「システム」および「ネットワーク」という用語は、互換的に使用される。
【００７２】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７３】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７４】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００７５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７６】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７８】
参照信号は、ＲＳ（Reference Signal）と略称することもでき、適用される標準によってパイロット（Pilot）と呼ばれてもよい。
【００７９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８０】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８１】
上記の各装置の構成における「手段」を、「部」、「回路」、「デバイス」等に置き換えてもよい。
【００８２】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【００８３】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【００８４】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００８５】
１０  無線通信システム
１００  基地局
２００  ユーザ装置
【図１】
2019064604.tif 000003
【図２】
2019064604.tif 000004
【図３】
2019064604.tif 000005
【図４】
2019064604.tif 000006
【図５】
2019064604.tif 000007
【図６】
2019064604.tif 000008
【図７】
2019064604.tif 000009
【図８】
2019064604.tif 000010
【図９】
2019064604.tif 000011
【図１０】
2019064604.tif 000012
【図１１】
2019064604.tif 000013
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
各々のＢＷＰ内におけるＲＡＣＨリソースの周波数位置に関する情報及びＲＡＣＨリソースの周波数方向における個数に関する情報を含むＲＲＣシグナリングを基地局装置から受信する受信部と、
前記ＲＲＣシグナリングに基づいて、ランダムアクセスプリアンブルをマッピングするＲＡＣＨリソースを特定する処理部と、
前記ランダムアクセスプリアンブルを前記基地局装置へ送信する送信部と、を有する端末。
【請求項２】
前記ＲＡＣＨリソースの周波数位置に関する情報は、基準となるＲＡＣＨリソースの周波数位置を示す、請求項１に記載の端末。
【請求項３】
前記処理部は、前記ランダムアクセスプリアンブルをマッピングした、ＢＷＰ内における前記ＲＡＣＨリソースの周波数位置に基づいて、ＲＡ−ＲＮＴＩを算出し、
前記受信部は、前記ＲＡ−ＲＮＴＩに基づいて、前記ランダムアクセスプリアンブルに対する応答を受信する、請求項１又は２に記載の端末。
【請求項４】
各ＢＷＰ内におけるＲＡＣＨリソースは、前記ＲＡＣＨリソースの周波数方向の個数に基づいて、ＢＷＰ毎に周波数方向にインデックスがナンバリングされ、
前記処理部は、前記ランダムアクセスプリアンブルをマッピングしたＲＡＣＨリソースの周波数方向のインデックスに基づいて、ＲＡ−ＲＮＴＩを算出し、
前記受信部は、前記ＲＡ−ＲＮＴＩに基づいて、前記ランダムアクセスプリアンブルに対する応答を受信する、請求項１から請求項３のいずれか１項に記載の端末。
【請求項５】
前記受信部は、複数のＢＷＰ毎に、ＲＡＣＨリソースと同期信号ブロックとの関連付けを示す情報を受信し、
前記関連付けを示す情報は、前記ＲＲＣシグナリングに含まれ、
前記関連付けを示す情報に基づいて、前記受信部が検出した同期信号ブロックは、周波数方向に配置されたＲＡＣＨリソースにマッピングされる、請求項１から請求項４のいずれか１項に記載の端末。
【請求項６】
前記ＲＲＣシグナリングは、複数のＢＷＰ各々の周波数位置及び帯域幅に関する情報を含み、
前記処理部は、前記ＲＲＣシグナリングに基づいて、前記ランダムアクセスプリアンブルを送信するＢＷＰの周波数位置及び帯域幅を特定する、請求項１から請求項５のいずれか１項に記載の端末。
【請求項７】
前記受信部は、初期アクセス用の第１のＢＷＰを含む、複数のＢＷＰ各々に対応する前記ＲＲＣシグナリングを受信し、
前記処理部は、前記第１のＢＷＰに基づいて、複数の前記ＢＷＰから前記ランダムアクセスプリアンブルを送信するＢＷＰを決定する、
請求項１から請求項６のいずれか１項に記載の端末。
【請求項８】
前記ランダムアクセスプリアンブルを送信するＢＷＰは、初期アクセス用の前記第１のＢＷＰである、
請求項７に記載の端末。
【請求項９】
前記受信部は、初期アクセス用の第１のＢＷＰを含む、複数のＢＷＰ各々に対応する前記ＲＲＣシグナリングを受信し、
前記ＲＲＣシグナリングによって、第１のＢＷＰと同じ帯域幅の１以上のＢＷＰが設定される、
請求項１から請求項８のいずれか１項に記載の端末。
【請求項１０】
前記受信部は、初期アクセス用の第１のＢＷＰを含む、複数のＢＷＰ各々に対応する前記ＲＲＣシグナリングを受信し、
前記ＲＲＣシグナリングによって、第１のＢＷＰと異なる帯域幅の１以上のＢＷＰが設定される、
請求項１から請求項９のいずれか１項に記載の端末。
【請求項１１】
前記受信部は、初期アクセス用の第１のＢＷＰを含む、複数のＢＷＰ各々に対応する前記ＲＲＣシグナリングを受信し、
前記ＲＲＣシグナリングによって、第１のＢＷＰを包含する帯域幅の１以上のＢＷＰが設定される、
請求項１から請求項１０のいずれか１項に記載の端末。
【請求項１２】
各々のＢＷＰ内におけるＲＡＣＨリソースの周波数位置に関する情報及びＲＡＣＨリソースの周波数方向における個数に関する情報を含むＲＲＣシグナリングを基地局装置から受信するステップと、
前記ＲＲＣシグナリングに基づいて、ランダムアクセスプリアンブルをマッピングするＲＡＣＨリソースを特定するステップと、
前記ランダムアクセスプリアンブルを前記基地局装置へ送信するステップと、を有する端末の通信方法。
【請求項１３】
各々のＢＷＰ内におけるＲＡＣＨリソースの周波数位置に関する情報及びＲＡＣＨリソースの周波数方向における個数に関する情報を含むＲＲＣシグナリングを送信する送信部と、
前記ＲＲＣシグナリングに基づいて、端末により特定されるＲＡＣＨリソースにマッピングされたランダムアクセスプリアンブルを前記端末から受信する受信部と、を有する基地局装置。
【国際調査報告】
2019064604.tif 000014
2019064604.tif 000015